(57)【要約】【課題】硬質地盤あるいはコンクリート等の硬質な障害物を地中に有する地盤への施工性を高めることができる鋼管杭の施工方法を提供する。【解決手段】本発明に係る鋼管杭の施工方法は、硬質地盤及び／又はコンクリート等の障害物１７を地中に有する地盤に回転圧入機３によって鋼管杭１を打設する方法であって、鋼管杭１の先端外周部に５０MPa超えの水圧の高圧水１３を噴射可能な高圧ウォータジェットノズル７を配設し、鋼管杭１を回転圧入するに際して、少なくとも硬質地盤又はコンクリート等の障害物１７に至った時には、高圧ウォータジェットノズル７から高圧水１３を噴射して硬質地盤又はコンクリート等の障害物１７を破砕する工程を備えたことを特徴とするものである。【選択図】  図１
2020037858.tif 000002
【特許請求の範囲】
【請求項１】
障害物を地中に有する地盤に回転圧入機によって鋼管杭を打設する鋼管杭の施工方法であって、
前記鋼管杭の先端外周部に５０MPa超えの水圧の高圧水を噴射可能な高圧ウォータジェットノズルを配設し、前記鋼管杭を回転圧入するに際して、
前記鋼管杭の先端が、少なくとも前記障害物に至った時には、前記高圧ウォータジェットノズルから高圧水を噴射して前記障害物を破砕する工程を備えたことを特徴とする鋼管杭の施工方法。
【請求項２】
前記高圧ウォータジェットノズルの高圧水の噴射方向を杭軸芯に対して傾斜させ、かつ前記高圧ウォータジェットノズルから高圧水を噴射する際に、前記高圧ウォータジェットノズルを管軸回りに回転させることを特徴とする請求項１記載の鋼管杭の施工方法。
【請求項３】
前記高圧ウォータジェットノズルから高圧水を噴射する際に、前記鋼管杭を杭中心軸周りに正回転と逆回転を交互に繰り返すことを特徴とする請求項１又は２に記載の鋼管杭の施工方法。
【請求項４】
研磨材を混入した高圧水を噴射することを特徴とする請求項１乃至３のいずれか一項に記載の鋼管杭の施工方法。
【請求項５】
前記高圧ウォータジェットノズルの噴射口が鋼管杭先端から上方100mmまでの間に位置して配置されていることを特徴とする請求項1乃至４のいずれか一項に記載の鋼管杭の施工方法。
【請求項６】
前記高圧ウォータジェットノズルの管軸周りの回転速度が1rpm以下であることを特徴とする請求項1乃至５のいずれか一項に記載の鋼管杭の施工方法。
【請求項７】
前記鋼管杭を所定の深度まで打設したのち、前記高圧ウォータジェットノズルから噴射する噴射材を水からセメントに切り替えて、杭先端地盤にセメントを噴射して地盤改良を行うことを特徴とする請求項１乃至６のいずれか一項に記載の鋼管杭の施工方法。
【請求項８】
杭先端地盤の地盤改良完了後に、前記高圧ウォータジェットノズルを鋼管杭の先端外周部から取り外し、取り外した前記高圧ウォータジェットノズルを前記鋼管杭の外周面に沿って引き上げながら、杭周面地盤にセメントを噴射して、地盤改良を行うことを特徴とする請求項７に記載の鋼管杭の施工方法。
【発明の詳細な説明】
【技術分野】
【０００１】
本発明は、回転圧入機によって、地盤に鋼管杭を打ち込む打設方法に関し、特に硬質地盤あるいはコンクリート等の障害物を地中に有する地盤に対して好適な鋼管杭の施工方法に関する。
【背景技術】
【０００２】
鋼管杭の打設方法としては、打撃工法、振動工法、圧入工法がある。硬質地盤あるいはコンクリート等の障害物を地中に有する地盤においては、貫入抵抗が高くなることから杭を損傷させてしまうリスクが大きいことから、いずれの工法でも打設が困難となる。
【０００３】
このような問題に対する解決方法としては、アースオーガや回転ビットを用いた先行掘削工法により、杭径以上の径の孔を掘削後、その孔を砂置換してあらためて杭を打設する方法、あるいは、その孔に杭を差し込んでグラウト材で固定する方法がとられている。
また、他の方法として、特許文献１では、杭先端に耐摩耗鋼を取り付けることにより、打設性能を向上する方法が提案されている。
また、特許文献２では、先端にビットを備えた切削用鋼管杭を回転圧入することにより、コンクリートを打ち抜いて鋼管杭を打設する方法が提案されている。
【先行技術文献】
【特許文献】
【０００４】
【特許文献１】特許第３７３５２２５号公報
【特許文献２】特許第４１０５０７６号公報
【発明の概要】
【発明が解決しようとする課題】
【０００５】
アースオーガや回転ビットを用いた先行掘削工法では、先行掘削機械や、掘削した部材を運搬する機材が必要となり、施工スペースやコストが増大する他、掘削工程と杭打設工程が別であることから、施工期間も長くなる問題がある。
【０００６】
また、特許文献１では、杭先端に耐摩耗鋼を取り付けることにより、打設時の杭自身の耐久性は向上するが、一軸圧縮強度が100MPaを超える超硬質な岩盤や、コンクリート等の地中障害物に対する施工は困難である。
特許文献２では、切削用ビットを備えた鋼管を用いるため、超硬質な岩盤やコンクリート等の地中障害物も打ち抜くことが可能であるが、切削した部材が鋼管内に取り込まれて閉塞し、その後の施工効率が著しく低下するという課題がある。
【０００７】
本発明はかかる課題を解決するためになされたものであり、硬質地盤あるいはコンクリート等の硬質な障害物を地中に有する地盤への施工性を高めることができる鋼管杭の施工方法を提供することを目的としている。
【課題を解決するための手段】
【０００８】
（１）本発明に係る鋼管杭の施工方法は、障害物を地中に有する地盤に回転圧入機によって鋼管杭を打設する方法であって、
前記鋼管杭の先端外周部に５０MPa超えの水圧の高圧水を噴射可能な高圧ウォータジェットノズルを配設し、前記鋼管杭を回転圧入するに際して、
前記鋼管杭の先端が、少なくとも前記障害物に至った時には、前記高圧ウォータジェットノズルから高圧水を噴射して前記障害物を破砕する工程を備えたことを特徴とするものである。
【０００９】
（２）また、上記（１）に記載のものにおいて、前記高圧ウォータジェットノズルの高圧水の噴射方向を杭軸芯に対して傾斜させ、かつ前記高圧ウォータジェットノズルから高圧水を噴射する際に、前記高圧ウォータジェットノズルを管軸回りに回転させることを特徴とするものである。
【００１０】
（３）また、上記（１）又は（２）に記載のものにおいて、前記高圧ウォータジェットノズルから高圧水を噴射する際に、前記鋼管杭を杭中心軸周りに正回転と逆回転を交互に繰り返すことを特徴とするものである。
【００１１】
（４）また、上記（１）乃至（３）のいずれかに記載のものにおいて、研磨材を混入した高圧水を噴射することを特徴とするものである。
【００１２】
（５）また、上記（１）乃至（４）のいずれかに記載のものにおいて、前記高圧ウォータジェットノズルの噴射口が鋼管杭先端から上方100mmまでの間に位置して配置されていることを特徴とするものである。
【００１３】
（６）また、上記（１）乃至（５）のいずれかに記載のものにおいて、前記高圧ウォータジェットノズルの管軸周りの回転速度が1rpm以下であることを特徴とするものである。
【００１４】
（７）また、上記（１）乃至（６）のいずれかに記載のものにおいて、前記鋼管杭を所定の深度まで打設したのち、前記高圧ウォータジェットノズルから噴射する噴射材を水からセメントに切り替えて、杭先端地盤にセメントを噴射して地盤改良を行うことを特徴とするものである。
【００１５】
（８）また、上記（７）に記載のものにおいて、杭先端地盤の地盤改良完了後に、前記高圧ウォータジェットノズルを鋼管杭の先端外周部から取り外し、取り外した前記高圧ウォータジェットノズルを前記鋼管杭の外周面に沿って引き上げながら、杭周面地盤にセメントを噴射して、地盤改良を行うことを特徴とするものである。
【発明の効果】
【００１６】
本発明においては、鋼管杭の先端外周部に５０MPa超えの水圧の高圧水を噴射可能な高圧ウォータジェットノズルを配設し、前記鋼管杭を回転圧入するに際して、
少なくとも前記硬質地盤又はコンクリート等の障害物に至った時には、前記高圧ウォータジェットノズルから高圧水を噴射して前記硬質地盤又はコンクリート等の障害物を破砕する工程を備えたことにより、前記硬質地盤又はコンクリート等の障害物を有する地盤への施工性を高めることができる。また、前記硬質地盤又はコンクリート等の障害物を破砕することで、前記鋼管杭を鉛直方向に打設することができ、安定した基礎構造を構築することができる。
【図面の簡単な説明】
【００１７】
【図１】実施の形態の鋼管杭の施工方法に用いる機器の概要を説明する説明図である。
【図２】図１に示した機器の他の態様の説明図である。
【図３】図２に示した高圧ウォータジェットノズルから噴射する高圧水の噴射範囲の模式図である。
【図４】実施の形態で施工対象とする地盤の一例の説明図である。
【図５】実施の形態に係る鋼管杭の施工方法の説明図である。
【図６】実施の形態に係る鋼管杭の他の態様の施工方法の説明図である。
【図７】実施の形態に係る高圧ウォータジェットノズルの噴射口の配置の検討結果を示すグラフである。
【図８】実施の形態の鋼管杭の施工方法に用いる高圧ウォータジェットノズルの噴射口の配置を説明する説明図である。なお、図８（ａ）は、図８（ｂ）の矢視Ａ−Ａ図である。
【図９】実施の形態に係る検討例の説明図である。
【発明を実施するための形態】
【００１８】
本実施の形態に係る鋼管杭の施工方法の説明に先立って、鋼管杭の施工方法に用いられる機器について概説する。
鋼管杭１の回転圧入に用いる回転圧入機３は、図１に示すように、鋼管杭１の上部にチャッキング部５を介して取り付けられて、鋼管杭１に回転力と圧入力を付与しながら地盤に鋼管杭１を貫入施工するものである。
【００１９】
また、鋼管杭１の先端外周部には、図１に示すように、高圧ウォータジェットノズル７が配設され、また、高圧ウォータジェットノズル７に水等の噴射材を供給する供給配管９が鋼管杭１に沿って鋼管杭１の上端まで配設されている。
高圧ウォータジェットノズル７は、５０MPa超えの水圧の高圧水（例えば、５０MPa超え、３００MPa以下）を噴射可能なものであり、鋼管杭１の先端外周部に着脱可能に配設されている。本実施の形態では、２個の高圧ウォータジェットノズル７が鋼管杭１の外周の１８０°離れた位置に設けられている。
【００２０】
鋼管杭１の回転圧入時に、高圧ウォータジェットノズル７が破損するのを防止するため、鋼管杭１の先端部には、高圧ウォータジェットノズル７を覆うように保護部材１１が設けられ、高圧ウォータジェットノズル７ができるだけ土砂等に接触しないようにしている。
【００２１】
配設する高圧ウォータジェットノズル７の数は、２個に限られず、１個でもよく、または３個以上を離散的に配置してもよい。
もっとも、本発明は回転圧入機３で鋼管杭１を回転させるので、高圧ウォータジェットノズル７の数を少なくしても、鋼管杭１の回転によって全周をカバーできる。なお、鋼管杭１の回転方向は、反時計回りを正回転としたときに、正回転または逆回転の一方向であってもよいが、正回転と逆回転を半周ずつ交互に繰り返すようにしてもよい。このようにすることで、高圧ウォータジェットノズル７に噴射材としての高圧水を供給する供給配管９がねじれて絡むのを防止できる。
【００２２】
高圧ウォータジェットノズル７からの高圧水の噴き出し方向に関し、鉛直下方に向けて噴き出すようにしてもよいが、図２に示すように、高圧ウォータジェットノズル７の高圧水１３の噴射方向を杭軸芯に対して傾斜させ、かつ高圧ウォータジェットノズル７から高圧水１３を噴射する際に、供給配管９の上端に取り付けた回転装置１５によって供給配管９を管軸回りに回転させることで高圧ウォータジェットノズル７を回転（自転）させるようにしてもよい。
【００２３】
鋼管杭１を回転させ、かつ高圧ウォータジェットノズル７を回転させることで、図３の破線で示すように、鋼管杭１の先端外周に沿って、広範囲に高圧水１３を噴射することができ、鋼管杭１内の詰まりを防止すると共に、硬質岩盤等を広範囲に破砕してスムーズな杭の打設が可能となる。これにより、少ない本数の供給配管９で鋼管杭１の形状にそって破砕することが可能となり、水圧を高めるのに必要なポンプの容量を小さくすることができる。
なお、高圧水１３の吹き出し角度θは、杭軸方向に対し杭中心方向に10°以下の範囲とすることが望ましい（図２参照）。
【００２４】
複数の高圧ウォータジェットノズル７を設置した場合、回転させる高圧ウォータジェットノズル７は、全部でもよいし、一部であってもよい。
一部の高圧ウォータジェットノズル７から高圧水１３を鉛直下方に噴射して、他の高圧ウォータジェットノズル７を回転（自転）させて噴射することで、図３に灰色示す鋼管杭１の先端形状に沿う部分をより確実に破砕しつつ、その周囲も破砕できる。
【００２５】
後述するように、本発明の施工方法では、高圧ウォータジェットノズル７への供給材を水からセメント１９に切り替えて、セメント１９を噴射して地盤改良を行う態様（図６（ｂ）〜（ｃ）参照）も考えられるので、このような態様の場合には、全数を回転させることで、地盤改良を効率よく広範囲に行うことができる。
【００２６】
供給配管９には、通常は、水が供給されるが、硬質地盤又はコンクリート等の障害物の切削力を高めるために、水に研磨材を混入するようにしてもよい。
研磨材としては、硅砂の適用が考えられるが、その他の材料としては、鉄鋼スラグ、スチールグリット、溶融アルミナ、ガーネットなどの適用も考えられる。
また研磨材としては、研磨材粒子の硬度300〜2000（HK、ヌープ硬さ）、D50（JIS  Z  8815で規定される、粉体状物質の粒径分布を測定するために行うふるい分け試験方法において、当該粉体状物質の頻度の累積が50％になる粒子径）粒径200μm〜1000μmの材料が好適である。
なお、高圧ウォータジェットノズル７からは、地盤改良に用いるセメント１９等を噴射することもできる。
【００２７】
高圧ウォータジェットノズル７は、鋼管杭１を施工した後回収する場合は、保護部材１１に着脱可能に取り付けてもよい。例えば、高圧ウォータジェットノズル７を保護部材１１にロックピンや点付け溶接で仮付けしておき、施工した後に地上からウォータジェットのホースを引くことで、保護部材１１から剥がれるようにしておいてもよい。
【００２８】
次に施工方法について具体的に説明する。
本実施の形態が対象とする硬質地盤及び／又はコンクリート等の障害物１７を地中に有する地盤の例として、図４に示すように、鋼管杭１が打設される地層の途中に鉄筋コンクリート製の障害物１７が埋まっている地盤を例に挙げ、高圧ウォータジェットノズル７を回転（自転）させる場合について説明する。
【００２９】
本実施の形態に係る鋼管杭の施工方法は、図５に示すように、正回転と逆回転を繰り返しながら鋼管杭１を回転圧入し（図５（ａ）参照）、障害物１７に至った時には（図５（ｂ）参照）、供給配管９を回転させることで高圧ウォータジェットノズル７を回転させながら、高圧水１３を噴射して、障害物１７を破砕する。障害物１７を破砕する際の鋼管杭１の回転速度は、障害物１７に至る前の回転圧入時の回転と同じもよいが、障害物１７の硬度が高く破砕しにくい場合には回転速度を低下させてもよい。なお、正回転と逆回転の1回の回転数は、高圧ウォータジェットノズル７が鋼管杭１の全周に行きわたるようにする（例えば、高圧ウォータジェットノズル７を１個設置した場合は1回転以上、２個が対称位置に配置されていれば半回転以上）。ここで、障害物１７として、岩盤等の硬質地盤や鉄筋コンクリート等の硬質な物質を例示することができる。
【００３０】
障害物１７の厚みが厚いような場合は、高圧水１３による破砕工程と、回転圧入による鋼管杭貫入工程を、交互に繰り返して施工することも可能である。
【００３１】
なお、鋼管杭１の先端が障害物１７のある場所に至ったかどうかは、鋼管杭１の貫入抵抗の増加によって知ることができる。また、鋼管杭１の打設に先立って行われる事前調査によって、どの程度の深度に障害物１７があるかが予め分かっている場合には、深度と貫入抵抗の両方によって障害物１７に至ったことを知ることができる。
【００３２】
障害物１７を通過すると、高圧ウォータジェットノズル７からの噴射を停止して、支持地盤まで回転貫入する（図５（ｃ）参照。）支持地盤が硬質の場合には、再び、高圧ウォータジェットノズル７から高圧水１３を噴射して支持地盤への貫入をしやすくしてもよい。
支持地盤への回転貫入が完了すると、高圧ウォータジェットノズル７を杭先端から取り外して、供給配管９と共に引き上げて施工を完了する。
【００３３】
以上のように、本実施の形態の鋼管杭の施工方法によれば、障害物１７を確実に破砕することができるので、硬質な障害物１７を有する地盤への施工性を高めることができる。また、障害物１７を破砕することで、鋼管杭１を鉛直方向に打設することができ、安定した基礎構造を構築することができる。
なお、上記の説明は打設途中に障害物１７がある地盤への鋼管杭の施工について述べたが、打設途中に硬質地盤がある場合の施工でも同様である。
【００３４】
なお、障害物１７や硬質地盤を通過する際に、高圧水１３を使用した場合、周囲の地盤が水圧で乱されることから、鋼管杭１の支持力（支持力＝先端支持力＋杭と地盤周面摩擦力）が弱くなることも考えられる。
この問題に対しては、図６に示すように、所定の深度である支持地盤まで鋼管杭１を打設したのち、高圧ウォータジェットノズル７への供給材を水からセメント１９に切り替えて、杭先端地盤にセメント１９を噴射して地盤改良を行うことで、鋼管杭１の先端支持力が増大できる。
杭先端地盤にセメント１９を噴射する際には、鋼管杭１を杭中心軸周りに回転させながら、セメント１９を噴射して、地盤改良を行うことで、杭の周辺地盤全体の支持力性能を増大することができる（図６（ｂ）参照）。
【００３５】
また、所定の深度まで鋼管杭１を打設し（図６（ａ）参照）、高圧ウォータジェットノズル７への供給材を水からセメント１９に切り替えて、杭先端地盤にセメント１９を噴射して地盤改良を行ったのち、高圧ウォータジェットノズル７を鋼管杭１先端より取り外し、引き上げながら、杭周面地盤にセメント１９を噴射して、地盤改良を行うようにしてもよい（図６（ｃ）参照）。高圧ウォータジェットノズル７を引き上げる際には、高圧ウォータジェットノズル７の回転（自転）はさせずに、鋼管杭１を正回転と逆回転させることで、鋼管杭１の全周にセメント１９を行き渡らせる。
これによって、鋼管杭１と地盤周面の摩擦力が増大し、鋼管杭１の先端支持力をより一層高めることができる。
なお、地盤の乱れが生じるのは、基本的には高圧水１３を噴射した箇所だけであるため、杭周面地盤にセメント１９を噴射して、地盤改良を行う区間は、高圧水１３を噴射した区間、例えば障害物１７のある区間のみとしてもよい。
【００３６】
上記の実施の形態では、硬質地盤あるいはコンクリート等の障害物１７の破砕に高圧水１３を噴射することとしたが、捨石層や転石層を打ち抜く場合にも、高圧水１３を噴射してもよく、本発明はこれを排除するものではない。
【００３７】
障害物１７との接触により、高圧ウォータジェットノズル７が損傷することを防止するために保護部材１１を設けているが、損傷の可能性をより低くするために高圧ウォータジェットノズル７の先端にある噴射口を、保護部材１１の先端より上方に離して配置することが考えられる。
一方、高圧ウォータジェットノズル７の噴射口から標的物までの距離が大きくなると、破砕能力が低下する懸念がある。そこで、高圧ウォータジェットノズル７の噴射口から標的物までの距離（SOD）と標的物（コンクリート）の破砕深度との関係を実験的に調べた。その結果を示すグラフが図７であり、縦軸が破砕深さ（mm）で横軸がノズル噴射口から標的物までの距離（mm）を示している。
図７に示すように、距離（SOD）が100mmまでは破砕能力が維持される一方で、距離（SOD）が150mm以上では破砕能力が大幅に低減する。
【００３８】
なお、図７はウォータジェットの吐出圧力を200MPaとした時の結果を示している。吐出圧力が変化すれば、それに応じて破砕深度は変わるが、標的物までの距離（SOD）と標的物（コンクリート）の破砕深度との関係は同様であり、距離（SOD）が100mmまでは破砕能力が維持される傾向にある。また、標的物を硬質地盤としても、ウォータジェットによる伝達エネルギーは、コンクリートの場合と変わらないことから、同様の傾向と考えてよい。
従って上記の結果から、高圧ウォータジェットによる障害物１７の破砕能力を維持するためには、図８に示すように、高圧ウォータジェットノズル７の噴射口の鋼管杭先端（保護部材１１の先端先端）から上方への距離Ｌは、Ｌ＝100mmまでの間に位置して配置されていることが好ましい。
標的物までの距離（SOD）の下限は理論上０（ゼロ）であるが、実際は回転圧入する鋼管が僅かに傾くこともあることから、10〜20mm程度以上距離をとっておくことが望ましい。
【００３９】
前述したとおり、高圧ウォータジェットノズル７による破砕幅を広げるため、供給配管９を管軸回りに回転させることで高圧ウォータジェットノズル７を回転（自転）させることが考えられる。
一方、回転速度が速くなると高圧ウォータジェットによる標的物の破砕能力が低下する懸念がある。
そこで、ノズル噴射口から標的物までの距離（SOD）とノズルの移動速度を変えて、標的物（鉄筋）の切断可否を実験的に調査した。調査結果を図９に示す。
図９は縦軸がノズル速度（mm/分）、横軸がノズル噴射口から鉄筋までの距離（mm）である。グラフ中には、鉄筋切断可の場合を〇で、鉄筋切断不可の場合×で示している。
図９を参照すると、ノズル速度とノズル噴射口から鉄筋までの距離とには、鉄筋切断可否が分かれるしきい値が存在することが分かる。
【００４０】
図９に示す調査結果から、ノズルの傾斜角を10°、ノズル噴射口から標的物までの距離（SOD）を50mmとすると、ノズル速度が50mm/分以下であれば鉄筋を切断できることから、1回転で標的物を破砕できるノズルの回転速度は以下の計算により1rpm（回転/分）以下となる。
(50mm×tan10°×2×π)÷50mm/分≒1rpm（回転/分）
したがって、高圧ウォータジェットノズル７の管軸周りの回転速度が1rpm以下であることが好ましい。
【符号の説明】
【００４１】
１  鋼管杭
３  回転圧入機
５  チャッキング部
７  高圧ウォータジェットノズル
９  供給配管
１１  保護部材
１３  高圧水
１５  回転装置
１７  障害物
１９  セメント
【図１】
2020037858.tif 000003
【図２】
2020037858.tif 000004
【図３】
2020037858.tif 000005
【図４】
2020037858.tif 000006
【図５】
2020037858.tif 000007
【図６】
2020037858.tif 000008
【図７】
2020037858.tif 000009
【図８】
2020037858.tif 000010
【図９】
2020037858.tif 000011